(57)【要約】【課題】電線が損傷することを防ぐ。【解決手段】電線Ｗの端末に設けられ、機器のケースＣに装着されるコネクタ１０であって、電線Ｗが後方に引き出される合成樹脂製のハウジング３０と、ハウジング３０の電線引出部３２を覆って電線Ｗを後端開口５１Ａから後方に引き出した状態でケースＣに固定される金属製のシールドブラケット５０と、ハウジング３０に設けられたキャビティ３７内に収容され、キャビティ３７の内周面と電線Ｗとの間をシールするゴム栓２４と、電線Ｗを支持した状態でシールドブラケット５０の筒状部５１に配されるようにハウジング３０の電線引出部３２に装着され、ゴム栓２４を抜け止めする合成樹脂製のバックリテーナ４０と、バックリテーナ４０における電線Ｗから離れた位置に一体に設けられ、シールドブラケット５０の後端開口５１Ａから後方に突出する電線保護部４６とを備えるところに特徴を有する。【選択図】図５
2015103460.tif 000002
【特許請求の範囲】
【請求項１】
電線の端末に設けられ、機器のケースに装着されるコネクタであって、
前記電線が引き出される合成樹脂製のハウジングと、
前記ハウジングを覆って前記電線を開口から引き出した状態で前記ケースに固定される金属製のシールドブラケットと、
前記ハウジング内に収容され、前記ハウジングと前記電線との間をシールするシール部材と、
前記電線を支持した状態で前記シールドブラケット内に配されるように前記ハウジングに装着され、前記シール部材を抜け止めする合成樹脂製のバックリテーナと、
前記バックリテーナにおける前記電線から離れた位置に設けられ、前記シールドブラケットの前記開口から外方に突出する電線保護部とを備えるコネクタ。
【請求項２】
前記電線保護部は、前記バックリテーナに一体に設けられている請求項１記載のコネクタ。
【請求項３】
前記電線保護部は、前記シールドブラケットの前記開口の縁部に沿って設けられている請求項１または請求項２記載のコネクタ。
【請求項４】
前記ハウジングは、前記電線を後方に引き出す電線引出部を有しており、
前記シールドブラケットの前記開口の縁部には、内向きに突出することで、前記電線引出部の後端部に当接し、前記ハウジングに対して前記シールドブラケットを前止まりさせる前止まり部が設けられている請求項１乃至請求項３の何れか一項に記載のコネクタ。
【発明の詳細な説明】
【技術分野】
【０００１】
本発明は、コネクタに関する。
【背景技術】
【０００２】
従来、電線の端末に設けられ、機器のケースに装着されるコネクタとして、下記特許文献１に記載のものが知られている。
【０００３】
このコネクタは、電線が後方に引き出された合成樹脂製のコネクタハウジングと、コネクタハウジングを覆った状態でケースに固定されるシールドシェルとを備えて構成されている。コネクタハウジングの後端部内には、電線とコネクタハウジングの間をシールするシール部材が収容されており、このシール部材は、コネクタハウジング内に装着されるシールリテーナによって後方に抜け止めされている。また、シールリテーナは、電線を支持する部分がシールドシェルの後端に設けられた開口から後方に突出した形態をなしており、この電線を支持する部分から電線が後方に引き出されている。
【先行技術文献】
【特許文献】
【０００４】
【特許文献１】特開２０１１−１７５７７５号公報
【発明の概要】
【発明が解決しようとする課題】
【０００５】
ところで、例えば、コネクタと、コネクタの後方に配される周辺機器との間のスペースが狭い場合には、電線の曲げ角度が急になることから、コネクタにおいて、ケースの外側に配される部分の前後方向の短尺化が求められている。このため、電線を支持する部分の前後方向の長さを短尺化し、電線を支持する部分全体をシールドシェル内に収容することで、ケースの外側に配される部分の前後方向の短尺化を図ることが検討されている。
しかしながら、電線を支持する部分がシールドシェル内に配置されると、電線を屈曲させた際に、電線がシールドシェルの端部などに接触して電線が損傷してしまう。
【０００６】
本発明は上記のような事情に基づいて完成されたものであって、電線が損傷することを防ぐことを目的とする。
【課題を解決するための手段】
【０００７】
上記の目的を達成するための手段として本発明は、電線の端末に設けられ、機器のケースに装着されるコネクタであって、前記電線が引き出される合成樹脂製のハウジングと、前記ハウジングを覆って前記電線を開口から引き出した状態で前記ケースに固定される金属製のシールドブラケットと、前記ハウジング内に収容され、前記ハウジングと前記電線との間をシールするシール部材と、前記電線を支持した状態で前記シールドブラケット内に配されるように前記ハウジングに装着され、前記シール部材を抜け止めする合成樹脂製のバックリテーナと、前記バックリテーナにおける前記電線から離れた位置に設けられ、前記シールドブラケットの前記開口から外方に突出する電線保護部とを備えるところに特徴を有する。
【０００８】
このような構成のコネクタによると、電線を支持する部分がシールドブラケット内に配されており、シールドブラケットの開口から電線保護部が外方に突出しているから、電線をシールドブラケットに接触させることなく、電線を屈曲させることができる。これにより、電線がシールドブラケットに接触して損傷することを防ぐことができる。
また、シールドブラケット内において電線が支持された部分を支点に電線を屈曲させることができるから、コネクタから引き出された電線の曲げ角度を緩やかにすることができ、電線の負担を軽減することができる。
【０００９】
本発明の実施の態様として、以下の構成が好ましい。
前記電線保護部は、前記バックリテーナに一体に設けられている構成としてもよい。
このような構成によると、バックリテーナとは別に電線保護部を別途設ける必要がないから、コネクタの部品点数が増加することを防ぐことができる。
【００１０】
前記電線保護部は、前記シールドブラケットの前記開口の縁部に沿って設けられている構成としてもよい。
このような構成によると、電線が何れの方向に屈曲された際にも、電線が電線保護部に接触し、シールドブラケットに接触するなどして電線が損傷することを防ぐことができる。
【００１１】
前記ハウジングは、前記電線を後方に引き出す電線引出部を有しており、前記シールドブラケットの前記開口の縁部には、内向きに突出することで、前記電線引出部の後端部に当接し、前記ハウジングに対して前記シールドブラケットを前止まりさせる前止まり部が設けられている構成としてもよい。
このような構成によると、電線が引き出された電線引出部の周囲には、シールドブラケットの前止まり部が配され、この前止まり部によって電線が損傷する虞があるから、バックリテーナに電線保護部を設けることは、特に有効である。
【発明の効果】
【００１２】
本発明によれば、電線が損傷することを防ぐことができる。
【図面の簡単な説明】
【００１３】
【図１】コネクタを斜め前から視た斜視図
【図２】コネクタを斜め後から視た斜視図
【図３】コネクタの背面図
【図４】図３のＡ−Ａ線断面図
【図５】コネクタから後方に引き出された電線が上方に屈曲された状態を示す断面図であって、図３のＢ−Ｂ線の断面に相当する断面図
【図６】図３のＣ−Ｃ線断面図
【図７】バックリテーナを斜め後方から視た斜視図
【図８】バックリテーナの背面図
【図９】同側面図
【図１０】上下に開いたバックリテーナを斜め後から視た斜視図
【発明を実施するための形態】
【００１４】
＜実施形態＞
本発明の一実施形態について図１乃至図１０を参照して説明する。
本実施形態は、車両に搭載される機器の金属製のケースＣに装着されるコネクタ１０を例示している。なお、以下の説明において、上下方向とは、図３における上下方向を基準とし、左右方向とは図３における左右方向を基準とする。また、前後方向とは、図４および図５の左右方向を基準とし、ケースＣに装着される側を前側として説明する。
【００１５】
コネクタ１０は、図４および図５に示すように、電線Ｗの端末に接続される複数の端子２０と、複数の端子２０を保持し、複数の電線が後方に引き出されるハウジング３０と、ハウジング３０の後部を覆った状態でケースＣに固定されるシールドブラケット５０とを備えて構成されている。
【００１６】
各端子２０は、金属板材にプレス加工を施すことによって形成されている。また、各端子２０は、図１、図５および図６に示すように、板厚方向に貫通する丸孔２１Ａを有してケースＣ内に設けられた機器（図示せず）に接続される機器側接続部２１と、電線Ｗに接続される電線接続部２２と、機器側接続部２１と電線接続部２２とを前後方向に繋ぐ繋ぎ部２３とを備えて構成されている。
【００１７】
電線Ｗは、芯線Ｗ１を絶縁被覆Ｗ２で覆った構成とされている。電線Ｗの端末は、絶縁被覆Ｗ２を皮剥ぎすることで芯線Ｗ１が露出した状態となっており、露出した芯線Ｗ１に端子２０の電線接続部２２が圧着されることで電線Ｗの端末に端子２０が接続されている。
【００１８】
ハウジング３０は、図１、図４乃至図６に示すように、合成樹脂製であって、前後方向に長く左右方向に横長の扁平形状をなしている。ハウジング３０の前後方向略中央部から前側部分は、ケースＣに設けられた取付孔Ｃ１に挿入可能な挿入部３１とされ、ハウジング３０の挿入部３１よりも後側部分は、複数（本実施形態では３本）の電線Ｗが後方に引き出される電線引出部３２とされている。
【００１９】
挿入部３１の外周面には、シールリング３４が装着された装着溝３３が周設されている。挿入部３１が取付孔Ｃ１内に挿入されると、図４および図５に示すように、シールリング３４が取付孔Ｃ１の内周面に密着し、挿入部３１と取付孔Ｃ１の内周面との間がシールされる。
【００２０】
電線引出部３２は、図４および図５に示すように、挿入部３１よりも上下方向に拡径された形態をなしており、ケースＣの取付孔Ｃ１よりも上下方向に大きい形態とされている。電線引出部３２の上下面には、電線引出部３２の径方向内側に向かって弾性変位可能な複数のロック片３５が設けられている。各ロック片３５は、電線引出部３２の外面から電線引出部３２の延出方向に沿うように後方に向かって延出された片持ち状に形成されている。各ロック片３５の後端部には、外側に向けて突出することで、後述するシールドブラケット５０の筒状部５１を後方から係止する係止爪３５Ａが設けられている。
【００２１】
電線引出部３２における各ロック片３５の内側には、図３および図４に示すように、ロック片３５が内側に過度撓みすることを防ぐ過度撓み防止壁３６が設けられている。過度撓み防止壁３６は、ロック片３５の延出方向に沿うように前後方向に延びた形態をなしており、ロック片３５が内側に向かって弾性変位した際に、ロック片３５と過度撓み防止壁３６とが当接することで、ロック片３５が過度撓みすることを防止し、ロック片３５が損傷することを防いでいる。
【００２２】
ハウジング３０内には、図４乃至図６に示すように、電線Ｗに接続された複数の端子２０が後方から個別に収容される複数（本実施形態では３つ）のキャビティ３７が挿入部３１と電線引出部３２とに亘って設けられている。
各キャビティ３７は、ハウジング３０を前後に貫通した形態をなしており、キャビティ３７内には、端子２０の機器側接続部２１を挿入部３１から前方に突出させた状態で端子２０が収容されている。また、各キャビティ３７の上面には、図５に示すように、前方に向かって片持ち状に延びるランス３８が形成されており、このランス３８が端子２０の繋ぎ部２３に設けられたランス孔２３Ａに嵌まり込むことで端子２０がキャビティ３７内に保持されている。
【００２３】
各キャビティ３７の後端部には、図４乃至図６に示すように、各電線Ｗに外嵌されたゴム栓２４が収容されている。これらのゴム栓２４は、電線引出部３２内に収容されるとキャビティ３７内に設けられた前止まり突部３９によって前止まりされる。また、前止まりされたゴム栓２４は、電線Ｗの外周面とキャビティ３７の内周面とに密着し、ハウジング３０と電線Ｗとの間がシールされている。
【００２４】
電線引出部３２におけるゴム栓２４の後方には、電線引出部３２内に後方から挿入されることでゴム栓２４を後方に抜け止めする合成樹脂製のバックリテーナ４０が装着されている。
【００２５】
バックリテーナ４０は、図７乃至図１０に示すように、一対の半割体４１を上下方向に互いに組み付けて構成されており、各半割体４１の一方の端部が互いにヒンジ４２によって連結されている。また、バックリテーナ４０は、各電線Ｗを支持する複数（本実施形態では３つ）の支持部４３と、複数の支持部４３を左右方向に横並びに一体に連結する連結部４４とを備えて構成されている。
【００２６】
支持部４３は、電線Ｗを全周に亘って囲む略円形状に形成されており、一対の半割体４１を互いに組み付けると、図３および図５に示すように、支持部４３が電線Ｗを上下から挟み込んで支持するようになっている。支持部４３の前面には、図５に示すように、ゴム栓２４の後端面に当接する当接リブ４５が設けられている。当接リブ４５は、電線Ｗの外周面に沿うように円弧状に形成されており、バックリテーナ４０が電線引出部３２内の正規の位置まで挿入されるとゴム栓２４の後端面に当接し、ゴム栓２４が後方に移動することを防止する。
【００２７】
つまり、ゴム栓２４が、当接リブ４５と電線引出部３２の前止まり突部３９とによって前後方向に移動することが防がれる。これにより、ゴム栓２４が前後にずれたり、ゴム栓２４が傾いたりすることに起因して電線Ｗと電線引出部３２との間のシール性が低下することを抑制することができるようになっている。
【００２８】
支持部４３の上下両端部には、図５に示すように、電線引出部３２の上下に設けられた係止孔３２Ａに係止可能な係止突起４３Ａが設けられている。電線引出部３２に対してバックリテーナ４０を正規の位置まで挿入すると、係止突起４３Ａが係止孔３２Ａに嵌まり込み、バックリテーナ４０が電線引出部３２に固定される。
【００２９】
連結部４４は、図３、図７乃至図１０に示すように、左右方向に真っ直ぐ延びた形態をなしており、一対の半割体４１が互いに組み付けられると、互いに隣り合う円形の支持部４３の相手側の端部同士を連結した状態となる。連結部４４の後端面は、支持部４３の後端面と面一となるように形成されており、バックリテーナ４０が電線引出部３２に固定されると、図５に示すように、支持部４３および連結部４４の後端面は、電線引出部３２の後端開口縁部とほぼ面一に配置されるようになっている。
【００３０】
シールドブラケット５０は金属製であって、図１、図２および図６に示すように、筒状をなす筒状部５１と、筒状部５１の前端から左右方向両側に張り出した一対の取付片５２とを備えて構成されている。
各取付片５２は平板状をなし、各取付片５２には、上下一対のボルト挿通孔５２Ａが板厚方向に貫通して設けられている。ボルト挿通孔５２Ａには、図示しない固定ボルトが挿通可能とされており、固定ボルトをボルト挿通孔５２Ａに挿通してケースＣに締め込むことによりシールドブラケット５０をケースＣに固定されると共に、電気的に接続されるようになっている。
【００３１】
筒状部５１は、図３に示すように、左右方向に横長の長円形筒状をなしている。筒状部５１の外周面には、ハウジング３０の電線引出部３２から後方に引き出された複数の電線Ｗを一括して覆う筒状の編組線（図示せず）が装着可能とされている。筒状部５１の外周に編組線を被せ、さらにその外側から環状のかしめリングＲをかしめ付けることにより、編組線が筒状部５１に電気的に接続されるようになっている。
【００３２】
筒状部５１の後端開口５１Ａの縁部における電線引出部３２のロック片３５と対応する位置には、図４に示すように、ロック片３５の係止爪３５Ａによって後方から係止される被係止部５３が設けられている。筒状部５１内に電線引出部３２を前方から挿入する過程において、被係止部５３に係止爪３５Ａが乗り上げることでロック片３５が内側に弾性変位し、電線引出部３２が筒状部５１に対して正規の位置まで挿入されると、ロック片３５が弾性復帰し、被係止部５３が係止爪３５Ａに後方から係止される。これにより、シールドブラケット５０が電線引出部３２に対して後方に抜け止めされた状態に保持される。
【００３３】
一方、筒状部５１の前止まりについては、図５に示すように、筒状部５１の後端開口５１Ａの縁部に設けられた前止まり部５４が電線引出部３２の後端開口に後方から当接することで、シールドブラケット５０がハウジング３０に対して前止まりされるようになっている。詳細には、前止まり部５４は、図３および図５に示すように、被係止部５３が設けられた部分を除く筒状部５１の後端開口５１Ａの縁部に設けられており、筒状部５１の後端開口５１Ａの縁部から内向きに屈曲して被係止部５３よりも内側に張り出した形態をなしている。また、前止まり部５４の内周形状は、図４乃至図６に示すように、電線引出部３２の後端開口とはほぼ同一とされている。そして、筒状部５１に対して電線引出部３２が正規の位置まで挿入されると、前止まり部５４が電線引出部３２の後端開口に後方から当接し、シールドブラケット５０が電線引出部３２に対して前止まりされるようになっている。
【００３４】
さて、バックリテーナ４０の支持部４３および連結部４４における後端面の外周縁部には、図２乃至図６に示すように、後方に突出する電線保護部４６が設けられている。
電線保護部４６は、図２乃至図１０に示すように、各半割体４１の外周縁部に沿うように複数の支持部４３および複数の連結部４４の後端面において左右方向に一続きに連なって形成されており、図５および図６に示すように、シールドブラケット５０の筒状部５１における前止まり部５４よりも後方に突出した形態とされている。また、電線保護部４６の電線Ｗ側の角部は面取りされた曲面４６Ａとされている。
【００３５】
つまり、電線保護部４６は、バックリテーナ４０の外周縁部にほぼ全周に亘って形成されており、バックリテーナ４０が電線引出部３２に装着された状態では、図３に示すように、ロック片３５を避けるようにして、筒状部５１の前止まり部５４の内側縁に沿うように配置されている。
【００３６】
また、支持部４３および連結部４４において一対の半割体４１を組み合わせる際の合わせ位置には、図９および図１０に示すように、支持部４３および連結部４４の前側と後側とで合わせ面が上下にずれた突当部４７が上下に一対設けられており、電線保護部４６に対して大きな力がかかった際に、突当部４７同士が前後上下に当たり合うことで、一対の半割体４１が互いに位置ずれすることを抑制することができるようになっている。
【００３７】
本実施形態のコネクタ１０は、以上のような構成であって、続いてその作用効果を説明する。
まず、コネクタ１０の組み立て方法について簡単に説明する。
ゴム栓２４およびシールドブラケット５０に電線Ｗを先通し、電線Ｗの端末において絶縁被覆Ｗ２を皮剥ぎすることで芯線Ｗ１を露出させる。そして、この露出した芯線Ｗ１に端子２０の電線接続部２２を圧着し、各電線Ｗの端末に端子２０を接続する。
【００３８】
次に、これら端子２０をハウジング３０の後方から各キャビティ３７内に挿入し、挿入部３１から機器側接続部２１が突出したところで、繋ぎ部２３のランス孔２３Ａにランス３８が嵌まり込んで端子２０がキャビティ３７内に保持される。
端子２０がキャビティ３７内に保持されたところで、先通ししたゴム栓２４を電線引出部３２内に挿入する。そして、各電線Ｗを支持部４３によって上下から挟み込むようにしてバックリテーナ４０を各電線Ｗに組み付け、バックリテーナ４０を電線引出部３２内に後方から装着することで、ゴム栓２４が抜け止めされる。
【００３９】
次に、電線Ｗに先通ししたシールドブラケット５０の筒状部５１によって電線引出部３２の外周を覆うように、筒状部５１内に電線引出部３２を前方から挿入する。筒状部５１に対して電線引出部３２が正規の位置まで挿入されると、前止まり部５４が電線引出部３２の後端開口に後方から当接し、シールドブラケット５０が電線引出部３２に対して前止まりされる。
【００４０】
また、筒状部５１に対して電線引出部３２を挿入する過程で、筒状部５１の被係止部５３に電線引出部３２のロック片３５における係止爪３５Ａが乗り上げ、電線引出部３２が筒状部５１に対して正規の位置まで挿入されると、ロック片３５が弾性復帰し、被係止部５３が係止爪３５Ａに後方から係止される。これにより、シールドブラケット５０が電線引出部３２に対して前後方向に抜け止めされた状態に保持され、コネクタ１０が完成する。
【００４１】
次に、このコネクタ１０を機器のケースＣに固定するには、ケースＣの取付孔Ｃ１にハウジング３０の挿入部３１を挿入し、シールドブラケット５０の取付片５２をケースＣの外面に接触させる。そして、固定ボルトをボルト挿通孔５２Ａに挿通し、ケースＣに締め込むことでシールドブラケット５０がケースＣに固定されると共に電気的に接続される。
【００４２】
ところで、例えば、コネクタ１０を装着するケースＣの後方スペースが狭い場合には、各電線Ｗを支持するバックリテーナ４０における支持部４３の位置を支点に各電線Ｗを急な角度に屈曲させて外方に引き出す場合がある。
ここで、仮に、支持部から後方に引き出された電線と筒状部の前止まり部との間に何も介在するものがないと、電線を急な角度に屈曲させた際に、電線が前止まり部の端部に直接接触することになる。そして、車両の振動によって電線が振動すると、前止まり部の端部と電線とが擦れて電線が損傷してしまう。
【００４３】
ところが、本実施形態によると、電線引出部３２に対してシールドブラケット５０が保持されると、バックリテーナ４０の電線保護部４６が筒状部５１における前止まり部５４よりも後方に突出した状態となると共に、電線保護部４６がロック片３５を避けるようにして前止まり部５４の内周縁に沿うように全周に亘って配置された状態となる。
【００４４】
つまり、各電線Ｗを支持する支持部４３の位置を支点に電線Ｗを急な角度に屈曲させて電線Ｗを上下左右の何れの方向に引き出す場合においても、図５に示すように、電線Ｗは電線保護部４６の曲面４６Ａに当接し、電線Ｗがシールドブラケット５０の前止まり部５４に接触することがない。これにより、電線Ｗがシールドブラケット５０に当接することに起因して損傷することを防ぐことができる。また、電線保護部４６は、バックリテーナ４０に一体に設けられているから、例えば、バックリテーナ４０とは別に電線保護部を別途設ける必要がなく、コネクタ１０の部品点数が増加することを防ぐことができる。
【００４５】
以上のように、本実施形態によると、電線Ｗを支持する支持部４３をシールドブラケット５０の筒状部５１内に配置し、バックリテーナ４０の支持部４３および連結部４４の後端面に電線保護部４６を設けたから、ケースＣの外側に配される部分の前後方向の長さを短尺化しつつ、電線Ｗを損傷させることなく電線Ｗを急な角度に曲げて引き出すことができる。また、電線保護部４６の電線Ｗ側の角部に曲面４６Ａを設けているから、電線Ｗが損傷することを確実に防ぐことができる。
【００４６】
また、電線Ｗを支持する支持部４３の位置がシールドブラケット５０の筒状部５１内に配置されているから、電線Ｗが支持された部分を支点に電線Ｗをシールドブラケット５０の筒状部５１内において屈曲させることができる。これにより、コネクタ１０から後方に引き出された電線Ｗの曲げ角度を緩やかにし、電線Ｗの負担を軽減することができる。
【００４７】
また、本実施形態によると、挿入部３１よりも拡径した電線引出部３２に対してシールドブラケット５０を前止まりさせるために、電線引出部３２の後端開口縁に当接する前止まり部５４を筒状部５１の後端開口５１Ａの縁部に設け、その結果、電線引出部３２から後方に引き出された電線Ｗの周囲には、前止まり部５４が配されている。すなわち、筒状部５１の後端開口５１Ａの縁部に前止まり部５４を設けるような場合、バックリテーナ４０に電線保護部４６を設けることは、特に有効である。
【００４８】
＜他の実施形態＞
本発明は上記記述及び図面によって説明した実施形態に限定されるものではなく、例えば次のような実施形態も本発明の技術的範囲に含まれる。
（１）上記実施形態では、バックリテーナ４０の支持部４３および連結部４４に左右方向に一続きとなる電線保護部４６を形成した構成としたが、本発明はこのような態様に限定されるものではなく、例えば、支持部にのみに電線保護部を形成する構成としてもよく、支持部および連結部に電線保護部を間欠的に形成する構成としてもよい。
（２）上記実施形態では、バックリテーナ４０の支持部４３および連結部４４の後端面に電線保護部４６を一体に形成した構成としたが、本発明はこのような態様に限定されるものではなく、例えば、バックリテーナ４０に別体の電線保護部４６を装着する構成にしてもよい。
（３）上記実施形態では、電線引出部３２に対してシールドブラケット５０を前止まりさせるために、電線引出部３２の後端開口縁に当接する前止まり部５４を筒状部５１の後端開口５１Ａの縁部に設けた構成したが、本発明はこのような態様に限定されるものではなく、例えば、電線引出部３２に対してシールドブラケット５０を前止まりさせるための前止まり部を別途形成し、筒状部５１の後端縁部が真っ直ぐ後方に延びた構成にしてもよい。
【００４９】
（４）上記実施形態では、電線引出部３２から３本の電線が後方に引き出された構成としたが、本発明はこのような態様に限定されるものではなく、例えば、電線引出部から後方に引き出される電線は何本であってもよい。
（５）上記実施形態では、電線Ｗがハウジング３０から後方に引き出された構成としたが、本発明はこのような態様に限定されるものではなく、例えば、電線がハウジングから上方や下方に引き出されてもよく、ハウジングから側方に引き出される構成であってもよい。
（６）上記実施形態では、各電線Ｗに外嵌されたゴム栓２４を抜け止めするバックリテーナ４０に電線保護部４６を設けた構成としたが、本発明はこのような態様に限定されるものではなく、例えば、複数の電線を一括して挿通させる一括ゴム栓を抜け止めするバックリテーナに電線保護部を設けた構成としてもよい。
【符号の説明】
【００５０】
１０：コネクタ
２４：ゴム栓（シール部材）
３０：ハウジング
３２：電線引出部
４０：バックリテーナ
４６：電線保護部
５０：シールドブラケット
５１Ａ：後端開口（開口）
５４：前止まり部
Ｃ：ケース
Ｗ：電線
【図１】
2015103460.tif 000003
【図２】
2015103460.tif 000004
【図３】
2015103460.tif 000005
【図４】
2015103460.tif 000006
【図５】
2015103460.tif 000007
【図６】
2015103460.tif 000008
【図７】
2015103460.tif 000009
【図８】
2015103460.tif 000010
【図９】
2015103460.tif 000011
【図１０】
2015103460.tif 000012